(57)【特許請求の範囲】
【請求項１】
釣り竿と直列または並列に設けられた外筒と、外筒内に摺動自在に差し込まれた内筒と、内筒内に摺動自在に装着された引張スプリングと、外部に設けられた解放操作部とを有する瞬間釣り糸操り装置において、
内筒には、釣り竿側先端部付近に引張スプリングの前方セット部を形成し、反対側端部付近に引張スプリングの後方セット部を形成するとともに、
引張スプリングには、先端部に釣り糸繰り部と前方セット装置とを設け、反対側端部には後方セット装置を設け、後方セット装置を外筒に固定したものとし、
内筒を引き出す動作により引張スプリングの前方セット装置を内筒の前方セット部にセットし、その後内筒を外筒内に挿入する動作で引張スプリングを引張らせて後方セット装置を内筒の後方セット部にセットし、
解放操作部を作動させることにより引張スプリングの前方のセットを解放して瞬時に釣り糸を繰ることを特徴とする瞬間釣り糸繰り装置。
【発明の詳細な説明】
【０００１】
【発明の属する技術分野】
本発明は、引張スプリングを利用して、自動的に魚信合わせを行うことのできる瞬間釣り糸操り装置に関するものである。
【０００２】
【従来の技術】
魚を釣る場合、針に魚がかかった直後、釣り糸を操るいわゆる魚信合わせという動作を行う必要がある。従来、この魚信合わせは、釣り竿を瞬間的に跳ね上げ竿の反発力により行うものであった。
【０００３】
しかし、魚信合わせを行うことは、初心者や腕力の弱い人には難しいことなので釣りを楽しむことができず、釣りの普及にもならなかった。そこで、この魚信合わせをモータ等の電動装置により自動化することも考えられたが、モータ等では、魚信合わせに必要な瞬間的な釣り糸操りを行うことが不可能であった。
【０００４】
【発明が解決しようとする課題】
そこで、本発明は如上のような問題点を解決するものであって、第１の課題は、スプリングの解放時の瞬発力を利用して、釣り人が行う魚信合わせと同じ釣り糸の操り動作を自動的に行うことのできる瞬間釣り糸操り装置を提供し、初心者や腕力の弱い人でも釣りを容易に楽しむことができるようにすることである。
【０００５】
第２の課題は、モータ利用の場合と異なり、バッテリーなどの電源を必要とせず、又、水辺で使用しても故障や事故の心配のない瞬間釣り糸操り装置を提供することである。第３の課題は、魚信合わせと同じ釣り糸の操り動作を行うためのスプリングのセットが、ワンタッチで簡単にできる瞬間釣り糸操り装置を提供することである。
【０００６】
【課題を解決するための手段】
本発明は、上記課題を解決するため、次のような手段を採用する。第１に、釣り竿と直列または並列に設けられた外筒と、外筒内に摺動自在に差し込まれた内筒と、内筒内に摺動自在に装着された引張スプリングと、外部に設けられた解放操作部とを有する瞬間釣り糸操り装置とする。
【０００７】
第２に、内筒には、釣り竿側先端部付近に引張スプリングの前方セット部を形成し、反対側端部付近に引張スプリングの後方セット部を形成する。第３に、引張スプリングには、先端部に釣り糸繰り部と前方セット装置とを設け、反対側端部には後方セット装置を設け、後方セット装置を外筒に固定したものとする。
【０００８】
第４に、内筒を引き出す動作により引張スプリングの前方セット装置を内筒の前方セット部にセットし、その後内筒を外筒内に挿入する動作で引張スプリングを引張らせて後方セット装置を内筒の後方セット部にセットする。第５に、解放操作部を作動させることにより引張スプリングの前方のセットを解放して瞬時に釣り糸を繰る。
【０００９】
【発明の実施の形態】
以下、図示の実施例と共に発明の実施の形態につき説明する。図１は、引張スプリングを利用した瞬間釣り糸操り装置の部分側面断面図である。釣り竿と直列又は並列に設けられた外筒１と、外筒１内に摺動自在に差し込まれた内筒２と、内筒２内に摺動自在に装着された引張スプリング３と、外部に設けられた解放操作部４とを有する瞬間釣り糸繰り装置である。尚、本実施例においては、外筒１は釣り竿と直列に設けられている。
【００１０】
外筒１の外部には、引張スプリング３に保持された力を瞬時に解放するための解放操作部４とセット解除レバー１４が取り付けられている。本実施例においては、解放操作部４とセット解除レバー１４とは、釣り人側からみて外筒１の上部に取り付けられている。該解放操作部４を操作することによりセット解除レバー１４が作動し、引張スプリング３に保持された力を解放し、瞬間的に釣り糸繰り動作を行うものである。尚、図１中上方には、図示されていない釣り竿が接続されている。
【００１１】
外筒１のセット解除レバー１４に対応する位置には、貫通孔１１が形成されている。該貫通孔１１は、図３に示されるように引張スプリング３に設けられる前方セット装置５の解除ピン５０が出入りするためのものである。尚、図１中符号１２は、釣り糸１５の外部への引き出し空部である。
【００１２】
外筒１の後方側即ち釣り人からみて手元側には、固定ビス１６が設けられている。固定ビス１６は、引張スプリング３に設けられた後方セット装置６を外筒１の一定位置に固定するためのものである。従って、固定ビス１６は外筒１の外部から内筒２を貫通して後方セット装置６に螺合している。
【００１３】
内筒２には、長手方向に切欠長窓２０が形成されている。該切欠長窓２０は、後方セット装置６を外筒１の一定位置に固定したまま、固定ビス１６の影響を受けることなく、内筒２を外筒１内で摺動させるために設けられている。
【００１４】
内筒２の前方には、前方セット部となる前方停止孔２１が形成されている。該前方停止孔２１は、図２に示されるように引張スプリング３に設けられる前方セット装置５のセットピン５１がはまるものである。又、内筒２の後方（手元側）には内筒２の後方セット部となる後方停止孔２２が形成されている。該後方停止孔２２は、後方セット装置６のセットボール６２が進入するものである。前方停止孔２１と後方停止孔２２との距離は、引張スプリング３の引張力が十分発揮できるだけの間隔である。尚、内筒２の手元側には握り２３が形成されており、本実施例においては、握り２３の外径は外筒１の外径と同一径となるよう形成されている。
【００１５】
引張スプリング３は、内筒２内にセット及び摺動自在に装着されている。引張スプリング３の前方先端部である釣り竿側には、釣り糸繰り部となる釣り糸繰り滑車５２と前方セット装置５が設けられている。釣り糸１５は、釣り竿から引かれ、釣り糸繰り滑車５２の下方から上方に向かって巻かれた後、引き出し空部１２へと導かれている。引張スプリング３の反対側端部即ち手元側には、後方セット装置６が設けられている。
【００１６】
前方セット装置５には切欠長窓２０に向かった摺動突起５３が設けられている。該摺動突起５３により、前方セット装置５は、切欠長窓２０に沿って内筒２内を不規則な回転をすることなく、摺動自在となる。摺動突起５３の高さは内筒２の厚み（切欠長窓２０の深さ）と同じ高さとなる。又、摺動突起５３は内筒２に形成さらた切欠長窓２０にぴったりはまるよう形成されている。
【００１７】
前方セット装置５は、解除ピン５０とセットピン５１とを両端に設けたセット用レバー５４を内蔵する。セット用レバー５４は、テコの原理を利用するため略Ｌ字形状をしている。セット用レバー５４は、略Ｌ字形状の曲折部を支点としてテコの原理により一定距離回動するように装着されている。従って、解除ピン５０側を時計方向に回動させると、セットピン５１側は上方へと回動する。
【００１８】
解除ピン５０はセット用レバー５４の上方部にはめ込み式に装着されている。解除ピン５０は、上端部が手元側へ下降した傾斜面を形成している。解除ピン５０は、スプリングにより外筒１外側方向へと付勢されていると共に、押圧されることにより、セット用レバー５４内に引っ込む。
【００１９】
セット用レバー５４の解除ピン５０の反対側端部には、セットピン５１が装着されている。セットピン５１は、スプリングにより前方停止孔２１の方向に付勢されると共に、セット用レバー５４の回動により前方停止孔２１と前方セット装置５内との移動を可能とされている。尚、図１のセットピン５１は、内筒２により押圧されて、前方セット装置５内に押し入れられ、セット用レバー５４を時計方向に回動させている状態を表している。この時、解除ピン５０も、外筒１内に押し込められている。
【００２０】
引張スプリング３の後方セット装置６は、ボール規制軸６０とセット解除スプリング６１とセットボール６２とよりなる。ボール規制軸６０は、断面略Ｈ形状をしており、後方セット装置６に、縁部をストッパーとして脱落することがなく、且つ、前後に摺動自在なるよう装着されている。ボール規制軸６０は、中間部付近を境に手元側で太く前方引張スプリング３側で細く形成されている。又、ボール規制軸６０は、先端側で引張スプリング３と連結さら、反対側である手元側には、ボール規制軸６０を手元方向に付勢するセット解除スプリング６１が装着されている。図１のセット解除スプリング６１は、ボール規制軸６０を手元方向に引いている状態を表している。
【００２１】
後方セット装置６の下部で、ボール規制軸６０の中間部付近には、ボール規制軸６０によって仕切られるセットボール６２の収納空部が設けられている。本実施例においては、直径６ミリメートルのセットボール６２が該収納空部に収納される。収納空部は、ボール規制軸６０の細い部分で仕切られた場合にのみ、内筒２内壁との間にセットボール６２が収納可能であり、ボール規制軸６０の太い部分で仕切られた場合には、後方停止孔２２との間で初めて、セットボール６２を収納することが可能である。
【００２２】
以下、瞬間釣り糸繰り装置の作動手順について説明する。先ず、外筒１内に摺動自在に差し込まれた内筒２を、手元側方向へと引き出す。その時、内筒２内の後方セット装置６は固定ビス１６により外筒１の一定位置に固定されている。内筒２が手元方向へ引き出される際には、後方セット装置６のボール規制軸６０は、セット解除スプリング６１により手元側に引かれているため、収納空部を仕切るボール規制軸６０は細い部分が位置している。従って、セットボール６２は、移動する内筒２の内壁により後方停止孔２２より押し出され、ボール規制軸６０側へと押し上げられる。
【００２３】
引張スプリング３が縮んでいる場合、前方セット装置５は内筒２の引き出しに連動せず内筒２内で停止しており、内筒２のみが引き出し方向に移動し、前方セット装置５は、相対的に反対方向へと移動している。内筒２の前方に設けられた前方停止孔２１が、停止している前方セット装置５のセットピン５１の真下にきた時、セットピン５１はスプリングの付勢により前方停止孔２１内にはまり込む。セットピン５１の移動により、セット用レバー５４は、左方向（時計と逆回り方向）に回動する。これにより前方セット装置５は内筒２の前方セット部にセットされる。図２のセットピン５１はこの状態を表している。尚、このとき解除ピン５０はまだ外筒１の内壁に当接したままである。
【００２４】
前方のセットの終了後、内筒２を外筒１内の前方釣り竿側へと差し込んでいく。この時、前方セット装置５は内筒２の前方セット部にセットされているので、内筒２と共に引張スプリング３を引っ張りながら外筒１内を摺動していく。引張スプリング３が十分引っ張られる位置で、内筒２の後方停止孔２２がセットボール６２の真下に位置し、セットボール６２は後方停止孔２２へとはまり込む。この時、ボール規制軸６０は、セット解除スプリング６１の手元側への付勢より強い力で引張スプリング３により引かれているため、セット解除スプリング６１が縮まり、引張スプリング３側へと移動する。これによりボール規制軸６０の太い部分が、セットボール６２の上方に進入し、後方停止孔２２にはまっているセットボール６２を上方より押圧する。これにより、後方セット装置６は内筒２の後方セット部にセットされる。図３はこの状態を表している。
【００２５】
後方のセットの終了時、外筒１に形成された貫通孔１１は、前方セット装置５の解除ピン５０の位置に位置する。これにより解除ピン５０は、スプリングの付勢により、切欠長窓２０、貫通孔１１を通過して外筒１の外側へと飛び出し、セット解除レバー１４と係合する。図３は、この状態を表している。
【００２６】
外筒１の外部には、図１に示されるように、解放操作部４と該解放操作部４を作動させることにより働くセット解除レバー１４とが取り付けられている。セット解除レバー１４は、鉤形状をなし、装着されたスプリング２７により釣り竿側に付勢されている。又、セット解除レバー１４は前方セット装置５の解除ピン５０と係合する。セット解除レバー１４の釣り竿側には、釣り糸１５を解放操作部４側へガイドする釣り糸ガイド滑車１７が設けられており、セット解除レバー１４のセットレバー７０側には、シャフト１３が設けられている。
【００２７】
解放操作部４は、操作枠４１の内部に設置された解放操作装置７と、操作枠４１の天部４２上に設置された当たり感知装置８とで構成される。操作枠４１は、本実施例においては、外筒１の手元側に設けられている。解放操作装置７は、セットレバー７０とリンク７１と作用軸７２により構成される。セットレバー７０は、操作枠４１に支軸７５を支点として上下回動可能に装着されており、釣り竿側でリンク７１に回動自在に連結され、手元側は操作枠４１外部へと突出している。尚、リンク７１の釣り竿側端部には作用軸７２が連結されている。
【００２８】
作用軸７２は、釣り竿側に押しバネ２６が装着されており、セットレバー７０側へと付勢されている。作用軸７２の外筒１側には、セット解除突起７３が設けられており、これと対応する対応突起７４が、セット解除レバー１４に連結されるシャフト１３の端部位置に設けられており、作用軸７２の手元側への移動によりセット解除突起７３が対応突起７４を利用してシャフト１３を手元側に引くことになる。
【００２９】
解放操作部４は、非セット時には、図１の点線部分で示されるように、セットレバー７０の操作枠４１の外への突出部分は下方へ下がっている。セットレバー７０のリンク７１側は上方へ上がり、作用軸７２は、押しバネ２６の力によりセットレバー７０側へと押しやられている。
【００３０】
これにより、セット解除突起７３も手元側へと移動させられており、シャフト１３は、セット解除突起７３の移動に伴って、対応突起７４がスプリング２７の力より強い押しバネ２６の力により手元側へ押し戻されている。
【００３１】
解放操作部４をセットするには、操作部４１の外へ突出しているセットレバー７０を図１の実線に示されるように上方へ持ち上げる。セットレバー７０のリンク７１側は下方へ下がり、リンク７１を介して作用軸７２を先端方向へ押圧する。この働きにより押しバネ２６が押圧されて、作用軸７２は釣り竿側へと押しやられる。
【００３２】
これにより、セット解除突起７３も釣り竿側へ移動し、シャフト１３は、対応突起７４がセット解除突起７３に当接するところまでスプリング２７により引かれて移動する。この時、シャフト１３と連結されているセット解除レバー１４は前方セット装置５の解除ピン５０と係合する。尚、解放操作部４がセットされた状態では、セットレバー７０とリンク７１の連結点は、セットレバー７０とリンク７１の水平連結状態より下方に位置しているため、セットはセットレバー７０を下方へ回動し、リンク７１を上方へ位置させない限り解除されない。
【００３３】
釣り糸を繰る場合には、セットレバー７０を下方に回動させると、リンク７１との連結点が上方へと移動する。これにより作用軸７２に設けられた押しバネ２６の縮まっていたバネの力が発揮され、作用軸７２を手元側へと移動させる。これに連動してセット解除突起７３も手元側へ移動し、シャフト１３の対応突起７４も手元側へと引かれる。これによりセット解除レバー１４が手元側へ引かれ、解除ピン５０を手元側へ引くことになる。すると、セット用レバー５４が時計回りに回動し、セットピン５１が前方係止孔２１よりはずれ、後方セット装置６に固定された引張スプリング３の引張力により、引張スプリング３の釣り糸繰り滑車５２が手元側へと引きもどされる。釣り糸繰り滑車５２に連動して釣り糸１５も手元側へと繰られる。
【００３４】
次に、当たり感知装置８は、魚の当たりを感知した時に、自動的にセットレバー７０を作動させるものであって、図５に示されるように、操作枠４１の天部４２に設けられる。当たり感知装置８は、増幅回転板３０と、釣り糸作用棒３８、３８’を有する釣り糸作用板３９と、両者の連結板３１と、スプリング３３と、スプリングセット棒３２と、セット作用軸３４とで構成される。
【００３５】
図６に示されるように、増幅回転板３０は円板形状で、連結板３１により釣り糸作用板３９と連結されている。釣り糸作用板３９は、増幅回転板３０と同形の円板形状であり、中心点を挟んだ対向位置に、釣り糸作用棒３８、３８’が立設されている。
【００３６】
増幅回転板３０の中央部には、下方に向かってセット作用軸３４が、操作枠４１の天部４２を貫通して、セットレバー７０に設けられたセット用空部４３にセット作用軸３４先端が挿入されるよう固着されている。セット作用軸３４は、操作枠４１の天部４２を貫通するあたりで太い円柱形状をなしており、下方に向かって両側を削られて薄い板形状となり、更に下方の先端部付近で削られて細い棒状に形成されている。セット作用軸３４の細い棒状部分及び板形状部分の薄い部分はセット用空部４３を通過可能であるが、板形状部分の幅広部分及び円柱形状の部分はセット用空部４３で停止する太さに形成されている。
【００３７】
増幅回転板３０の中心点より釣り竿側へ向かった延長線上の天部４２には、スプリングセット棒３２が立設されており、連結板３１との間に、スプリング３３を張設している。スプリング３３は、連結板３１をスプリングセット棒３２側へと引き力で付勢している。このため、増幅回転板３０と釣り糸作用板３９とセット作用軸３４とには、スプリング３３によりスプリングセット棒３２側へ時計方向と逆回りに回動しようとする力が一体的に働いている。この回動の範囲を一定の位置間でのみ行うようにするため、ストッパーピン３６とストッパーピン３７及び当接ネジ３５が設けられている。本実施例においては、ほぼ９０度の間を回動自在としている。
【００３８】
図５に示されるように、ストッパーピン３６とストッパーピン３７とは増幅回転板３０の側面に外側に向かって設けられている。当接ネジ３５は、増幅回転板３０の横の手元側天部４２に設けられている。当接ネジ３５は、手元側からみて増幅回転板３０のほぼ中心点の延長線上に立設されており、ストッパーピン３６とストッパーピン３７とは、当接ネジ３５がストッパーピン３６とストッパーピン３７との間にくるよう設けられている。図６に示されるように、ストッパーピン３６は、釣り糸作用棒３８’の真下に設けられており、ストッパーピン３７は、連結板３１側でスプリング３３が固着された位置のやや右よりの位置に設けられている。スプリング３３が釣り竿側から手元側に向かって真っ直ぐとなって、バランスを保つようにするためである。尚、図８に示されるように、当接ネジ３５には、補正ネジ４４が貫通しており、ストッパーピン３７の当接位置の補正が可能とされている。
【００３９】
増幅回転板３０が、スプリング３３の力により時計と逆回りに回動するときには、ストッパーピン３６が当接ネジ３５に当接して、増幅回転板３０の回動を停止し、増幅回転板３０を時計回りに回動させるときには、ストッパーピン３７が当接ネジ３５に当接して、増幅回転板３０の回動を一定位置に停止するためである。ストッパーピン３７が当接ネジ３５に当接するとき、スプリング３３は、釣り竿側なら手元側に向かって釣り糸作用板３９の中心を通ってほぼ一直線上に位置する。
【００４０】
以下、当たり感知装置８の作動手順について説明する。当たり感知装置８は、非セット時には、ストッパーピン３６が当接ネジ３５に当接して増幅回転板３０の回転を停止している状態にあり、セットレバー７０の操作枠４１の外への突出部分は下方へ下がっている。セット作用軸３４は、薄い板形状をなす部分までセット用空部４３に挿入されている。
【００４１】
当たり感知装置８をセットするには、先ず、操作部４１の外へ突出しているセットレバー７０を図１の実線で示されるように上方へ持ち上げる。セットレバー７０のリンク７１側は下方へ下がり、セット作用軸３４は、先端付近の細い棒形状の部分のみがセット用空部４３内に挿入されている。これにより、増幅回転板３０と釣り糸作用板３９とセット作用軸３４との一体的回動が可能となる。
【００４２】
次に、ストッパーピン３７が当接ネジ３５に当接するまで増幅回転板３０を時計回りに回動する。これにより図６に示されるように、セット作用軸３４は９０度回動して薄い板形状の部分がセットレバー７０のセット用空部４３と十字に交わる状態となり、セット作用軸３４はセットレバー７０のリンク７１側の上方への力により固定される。この時釣り糸１５は、手元側からみて、釣り糸作用棒３８の右外側から手元側を通って左横へ延び、釣り糸作用棒３８’の釣り糸側を通って左外側を通り、手元側へと延びてきている。
【００４３】
魚が当たると、釣り糸１５は釣り竿側へと引っ張られる。これにより、釣り糸１５が釣り糸作用棒３８を釣り竿側へ引っ張る。スプリング３３は停止状態のバランスを失い、増幅回転板３０と釣り糸作用板３９をスプリングセット棒３２側へと回動させる。これに従い、釣り糸作用棒３８も時計と逆方向へと回動し、セット作用軸３４も同方向へと回動する。このため、セットレバー７０のセット用空部４３と十字に交わっていたセット作用軸３４の薄い板形状の部分がセット用空部４３へとはまり込む。セットレバー７０のリンク７１側は上方へ押し上げられ、押しバネ２６が伸びて作用軸７２と共にセット解除突起７３を手元側へと押す。これに対応する対応突起７４は、セット解除レバー１４に連結されるシャフト１３を手元側へと引く。このとき、セット解除レバー１４は解除ピン５０と係合しているため解除ピン５０を手元側へ引くことになる。これにより、釣り糸１５は手元側へと繰られることとなる。
【００４４】
図９は当たり感知装置の他実施例を示す断面側面図であり、図１０は同斜視図であり、図１１は同側面図である。本実施例が示す当たり感知装置８は、２枚の増幅回転板３０と、両者の連結板３１と、釣り糸作用棒３８、３８’を有する釣り糸作用板３９と、スプリング３３と、スプリングセット棒３２と、増幅回転板３０と釣り糸作用板３９とを連結する回転軸２８に取り付けられるカム２９とで構成される。
【００４５】
当たり感知装置の先の実施例との大きな相違点は、増幅回転板３０と釣り糸作用板３９とを、操作枠４１を挟む形で対向させて、左右に分けた上、セットレバー７０のリンク７１側上部で、操作枠４１の上部を左右に貫通する回転軸２８により連結させて設け、回転軸２８にカム２９を、セットレバー７０のセット時に、リンク７１側のセットレバー７０の上部位置に当接するよう設けたことである。
【００４６】
増幅回転板３０は、連結板３１を介して２枚の板が連結して構成されている。操作枠４１の釣り竿側で、手元側からみた右側の外側に向かっては、スプリングセット棒３２（図示されていない）が設けられており、連結板３１との間に、スプリング３３が張設されている。スプリング３３は、連結板３１をスプリングセット棒３２側へと引き力で付勢している。このため、回転軸２８により一体的に回動可能とされている増幅回転板３０と釣り糸作用板３９とカム２９とには、スプリング３３によりスプリングセット棒３２側へ時計方向と逆回りに回動しようとする力が一体的に働いている。
【００４７】
この回動の範囲を一定の位置間でのみ行うようにするため、ストッパーピン３６とストッパーピン３７及び図示されていない当接ネジが設けられている。図１０に示されるように、ストッパーピン３６とストッパーピン３７とは解放操作装置７側の増幅回転板３０の側面に、外側に向かって設けられている。当接ネジは、ストッパーピン３６とストッパーピン３７との間にくるよう操作枠４１の上部に増幅回転板３０側の外側に向かって設けられている。セットレバー７０のセット時に、ストッパーピン３６はカム２９と同じ方向にくるよう設けられ、ストッパーピン３７はスプリング３３が釣り竿側から手元側に向かって真っ直ぐとなるよう連結板３１側のスプリング３３の位置する位置のやや上方に設けられる。本実施例においては、ほぼ９０度の間を回動自在としている。又、当接ネジには、補正ネジ（図示されていない））が貫通しており、ストッパーピン３７の当接位置の補正が可能とされている。
【００４８】
図１０はセットレバー７０をセットした状態を示している。この状態において、ストッパーピン３７は当接ネジに当接しており、カム２９は、リンク７１側のセットレバー７０の上方への力により固定されている。この状態で魚が当たると、先の実施例で述べた釣り糸繰り動作と同じ動作を行う。
【００４９】
【発明の効果】
本発明は如上のように構成したため、以下のような効果を発揮する。第１にスプリングの瞬発力を利用するので、モータを利用する場合と異なり、瞬時に反応でき、魚信合わせに利用できる瞬間釣り糸操り装置となった。第２に、モータ利用の場合と異なり、バッテリーなどの電源を必要とせず、又、水辺で使用しても故障や事故の心配のない瞬間釣り糸操り装置となった。
【００５０】
第３に、手元側セット部をセットすることにより、魚信合わせと同じ釣り糸の操り動作を行うためのスプリングのセットが、ワンタッチで簡単にできる瞬間釣り糸操り装置となった。第４に、内筒を外筒内に摺動自在に差し込むものであるので、スプリングに保持された力を解放操作部により瞬時に解放した場合にも、大きな音のでることがなく、他の釣り人に迷惑のかからない瞬間釣り糸操り装置となった。
【００５１】
第５に実施例の効果ではあるが、釣り糸繰り滑車を設けたことにより、釣り糸繰り滑車がない場合に比べて倍の量の釣り糸を引くことができるため、瞬間釣り糸繰り装置を短いものとすることができ、軽量化が図られると共に持ち運びが便利なものとなった。
【００５２】
第６に実施例の効果ではあるが、解放操作装置と連動する当たり関知装置を設けることにより、解放操作装置の操作を必要としない、瞬間釣り糸繰り装置となった。
【図面の簡単な説明】
【図１】引張スプリングを利用した瞬間釣り糸操り装置の部分側面断面図
【図２】前方セット装置がセットされた状態を示す側面断面説明図
【図３】後方セット装置がセットされた状態を示す側面断面説明図
【図４】前方のセットを解放した瞬間の状態を示す側面断面説明図
【図５】自動解放のセット状態を示す側面説明図
【図６】同部分断面斜視図
【図７】解放状態の解放セット部を示す斜視図
【図８】当接ネジの部分拡大説明図
【図９】当たり感知装置の他実施例を示す断面側面図
【図１０】同斜視図
【図１１】同側面図
【符号の説明】
１．．．．．．外筒
２．．．．．．内筒
３．．．．．．引張スプリング
４．．．．．．解放操作部
５．．．．．．前方セット装置
６．．．．．．後方セット装置
７．．．．．．解放操作装置
８．．．．．．当たり感知装置
１１．．．．．貫通孔
１２．．．．．引き出し空部
１３．．．．．シャフト
１４．．．．．セット解除レバー
１５．．．．．釣り糸
１６．．．．．固定ビス
１７．．．．．釣り糸ガイド滑車
２０．．．．．切欠長窓
２１．．．．．前方停止孔
２２．．．．．後方停止孔
２３．．．．．握り
２６．．．．．押しバネ
２７、３３．．スプリング
２８．．．．．回転軸
２９．．．．．カム
３０．．．．．増幅回転板
３１．．．．．連結板
３２．．．．．スプリングセット棒
３４．．．．．セット作用軸
３５．．．．．当接ネジ
３６、３７．．ストッパーピン
３８、３８’．釣り糸作用棒
３９．．．．．釣り糸作用板
４１．．．．．操作枠
４２．．．．．天部
４３．．．．．セット用空部
４４．．．．．補正ネジ
５０．．．．．解除ピン
５１．．．．．セットピン
５２．．．．．釣り糸繰り滑車
５３．．．．．摺動突起
５４．．．．．セット用レバー
６０．．．．．ボール規制軸
６１．．．．．セット解除スプリング
６２．．．．．セットボール
７０．．．．．セットレバー
７１．．．．．リンク
７２．．．．．作用軸
７３．．．．．セット解除突起
７４．．．．．対応突起
７５．．．．．支軸
【図１】
0004042014.tif 000002
【図２】
0004042014.tif 000003
【図３】
0004042014.tif 000004
【図４】
0004042014.tif 000005
【図５】
0004042014.tif 000006
【図６】
0004042014.tif 000007
【図７】
0004042014.tif 000008
【図８】
0004042014.tif 000009
【図９】
0004042014.tif 000010
【図１０】
0004042014.tif 000011
【図１１】
0004042014.tif 000012